(57)【要約】【課題】  低コストでＩＣカード等のバリュー保持メディアの誘導が行えると共に、ＩＣチップの読み取り書き取りの進行状況を確認すること。【解決手段】  バリュー保持メディアが接近される読み取り面５と、該読み取り面５に対向する位置に配されて１個所から光を発光させる発光部６と、読み取り面５と発光部６との間に配されてＩＣチップとの間で前記情報を無線通信可能なアンテナ部７を有する無線通信部８とを有する読み取り部１０と、無線通信部８の作動を制御すると共にアンテナ部７を介してＩＣチップのデータ処理及び記録を行うデータ処理蓄積部と、該データ処理蓄積部の作動状況に応じて前記発光部の作動を制御する制御部とを有する端末本体部とを備え、読み取り面５には、発光部６から発せられた光をバリュー保持メディアの外形に応じた形状で読み取り面５の表面に発光させる光透過面２３が設けられている非接触型端末装置１を提供する。【選択図】  図３
2005202856.tif 000002
【特許請求の範囲】
【請求項１】
読み書き可能なＩＣチップを有するバリュー保持メディアに対して、非接触状態で少なくとも金額を含む情報をＩＣチップとの間で通信可能な非接触型端末装置において、
表面に前記バリュー保持メディアが接近される読み取り面と、該読み取り面の裏面側にに配されて１個所から光を発光させる発光部と、読み取り面と発光部との間に配されて前記ＩＣチップとの間で前記情報を無線通信可能なアンテナ部を有する無線通信部とを有する読み取り部と、
前記無線通信部の作動を制御すると共に前記アンテナ部を介して前記ＩＣチップのデータ処理及び記録を行うデータ処理蓄積部と、該データ処理蓄積部の作動状況に応じて前記発光部の作動を制御する制御部とを有する端末本体部とを備え、
前記読み取り面には、前記発光部から発せられた前記光を、バリュー保持メディアの外形に応じた形状で読み取り面の表面に発光させる光透過面が設けられていることを特徴とする非接触型端末装置。
【請求項２】
請求項１に記載の非接触型端末装置において、
前記光透過面が、前記アンテナ部の周囲を囲むスリット状に形成されていることを特徴とする非接触型端末装置。
【請求項３】
請求項１又は２に記載の非接触型端末装置において、
前記アンテナ部の周囲を囲むように配されて、前記発光部から発せられた前記光を前記光透過面に案内する非金属性の光案内部材を備えていることを特徴とする非接触型端末装置。
【請求項４】
請求項３に記載の非接触型端末装置において、
前記光案内部材は、前記読み取り面の裏面に開口が当接するよう配されて前記光を内周面で反射させる中空体状の光反射板であり、
前記アンテナ部の裏面に設けられて前記光を反射する非金属性の反射面を有していることを特徴とする非接触型端末装置。
【請求項５】
請求項３に記載の非接触型端末装置において、
前記光案内部材は、前記光を内部で拡散させながら前記光透過面に案内する光拡散体であることを特徴とする非接触型端末装置。
【請求項６】
請求項１から５のいずれか１項に記載の非接触型端末装置において、
前記発光部は、複数の異なる色を発するＬＥＤであり、前記制御部からの制御信号に応じて発光する色及び発光時間がそれぞれ異なるように制御されることを特徴とする非接触型端末装置。
【請求項７】
請求項１から６のいずれか１項に記載の非接触型端末装置において、
前記読み取り面近傍から音声を出力するスピーカを有し、
該スピーカは、前記制御部からの制御信号に応じて異なる音声を出力するように制御されることを特徴とする非接触型端末装置。
【請求項８】
請求項１から７のいずれか１項に記載の非接触型端末装置において、
前記読み取り部が、前記端末本体部と有線又は無線接続されて、端末本体部から離間可能であることを特徴とする非接触型端末装置。
【発明の詳細な説明】
【技術分野】
【０００１】
本発明は、ＩＣチップを有するＩＣカード等のバリュー保持メディアに対して非接触状態で通信を行い、ＩＣチップの読み取り及び書き込みを行う非接触型端末装置に関するものである。
【背景技術】
【０００２】
近年、キャッシュレス化の進展や電子マネーの普及に伴い、流通等の様々な分野でＩＣカードを利用したサービスやシステムが各種提供されている。その中でも特に使い易さ等の点において、非接触式のＩＣカードが注目を集めている。また、この非接触式のＩＣカード内に内蔵されている超小型なＩＣチップに、電子マネーや電子チケット（定期券、乗車券、航空券等）の電子的価値情報（電子バリュー）を格納し、各種決済、例えば、駅の自動券売機の決済、飲料等の自動販売機の決済及び店舗での決済や各種施設への入場等に利用することが考えられている。
このようなＩＣカードを利用する場合、一般的にＩＣカードに対して非接触状態で無線通信を行い、内部のＩＣチップに記録されている情報を読み取ったり、新たな情報をＩＣチップに書き込むリーダライタ装置が用いられている（例えば、特許文献１及び２参照）。
【０００３】
このようなリーダライタ装置は、ＩＣチップと無線通信可能なアンテナを内部に有する読み取り面（読み取り部）を備えている。そして、ＩＣカードの保持者は、この読み取り面にＩＣカードを近接するようにかざしてＩＣチップの読み取り及び書き込みを行わせることで、上述した電子マネーによる各種決済等を行うことができる。また、ＩＣチップの読み取り及び書き込みが終了、即ち、電子マネーの決済が終了したか否かは、リーダライタ装置に設けられた表示部の内容を確認することで、容易に判断することができる。
また、ＩＣカードを読み取り面にかざす際、通常ＩＣカードとリーダライタ装置との間の通信状態を良好な状態に維持するために、リーダライタ装置の読み取り面自体若しくは読み取り面近傍に、ＩＣカードをかざす目印等が形成されている。例えば、読み取り面の形状をＩＣカードの外形形状に対応した長方形状に形成することで、ＩＣカードの保持者は該ＩＣカードを良好な通信状態となる向きでリーダライタ装置にかざすことができる。
【０００４】
更に、図２０に示すように、読み取り面４０の表面において、ＩＣカード４１の外形形状に対応した位置に、即ち、長方形状の４隅にＬＥＤ４２を配することで、ＩＣカード４１をかざす目印的な役割と決済の進行状態を表示する上記表示部的な役割とを併せもったものも知られている。このＬＥＤ４２は、４隅にそれぞれ、例えば、赤色、緑色及び青色の３つ毎（合計１２個）配されており、それぞれの色の光を発光することができるようになっている。なお、発光する色は、これらの色に限られるものではない。そして、ＬＥＤ４２は、例えば、ＩＣカード４１を誘導する際は青色の光を発すると共に、ＩＣカード４１をかざした後、決済が完了すると緑色の光を発するように設定されている。また、決済が異常の場合には、赤色の光を発するように設定されている。
こうすることで、４隅に配されたＬＥＤ４２の青色の光により、ＩＣカード４１の誘導を行なえるので、ＩＣカード４１の保持者は該ＩＣカード４１を容易に適切な向きで読み取り面４０にかざすことができる。また、ＩＣカード４１をかざした後、緑色若しくは赤色の光により、決済が完了したことや、決済異常等を容易に確認することができる。
このように、ＬＥＤ４２を利用して、ＩＣカード４１の誘導及び内蔵されているＩＣチップの読み取り書き込みの進行状況、即ち、決済の進行状況を同時に行うことができる。
【特許文献１】特開２００２−１３３３７８号公報（段落番号００１３−００２８、図１−図５）
【特許文献２】特開２００３−１４１４６３号公報（段落番号００１０−００３０、図１−図７）
【発明の開示】
【発明が解決しようとする課題】
【０００５】
しかしながら、上述した図２０に示す従来のリーダライタ装置は、赤色、緑色及び青色の３色のＬＥＤ４２を４隅に設ける必要があるのでコストが高くなってしまうといった不都合があった。仮に、４隅ではなく、対角の２箇所や１個所に配したとすると、ＩＣカード４１を適切な向き及び位置で読み取り面４０に誘導することが困難になってしまう問題があった。
【０００６】
本発明は、このような事情に考慮してなされたもので、その目的は、低コストでＩＣカード等のバリュー保持メディアの誘導が行えると共に、ＩＣチップの読み取り書き取りの進行状況を確認することができる非接触型端末装置を提供することである。
【課題を解決するための手段】
【０００７】
本発明は、前記課題を解決するために以下の手段を提供する。
本発明の非接触型端末装置は、読み書き可能なＩＣチップを有するバリュー保持メディアに対して、非接触状態で少なくとも金額を含む情報をＩＣチップとの間で通信可能な非接触型端末装置において、表面に前記バリュー保持メディアが接近される読み取り面と、該読み取り面の裏面側に配されて１個所から光を発光させる発光部と、読み取り面と発光部との間に配されて前記ＩＣチップとの間で前記情報を無線通信可能なアンテナ部を有する無線通信部とを有する読み取り部と、前記無線通信部の作動を制御すると共に前記アンテナ部を介して前記ＩＣチップのデータ処理及び記録を行うデータ処理蓄積部と、該データ処理蓄積部の作動状況に応じて前記発光部の作動を制御する制御部とを有する端末本体部とを備え、前記読み取り面には、前記発光部から発せられた前記光を、バリュー保持メディアの外形に応じた形状で読み取り面の表面に発光させる光透過面が設けられていることを特徴とするものである。
【０００８】
この発明に係る非接触型端末装置においては、ＩＣカード等のバリュー保持メディアを読み取り面にかざす際に、該読み取り面にはバリュー保持メディアの外形に応じた形状、例えば、ＩＣカードの外形形状に応じた長方形状に発光部からの光を発光させる光透過面が設けられているので、バリュー保持メディアを適切な方向に向けた状態で読み取り面の所定位置に確実にかざすことができる。つまり、光透過面によりバリュー保持メディアを誘導することができる。この際、読み取り面と発光部との間にアンテナ部が配されているので、読み取り面に所定の向きでかざされたバリュー保持メディアに対して確実に通信が行える。
また、データ処理蓄積部の作動状況に応じて、制御部が発光部の制御を行うので、ＩＣチップの読み取り及び書き取りの進行状況をバリュー保持メディアの保持者に知らせることができる。例えば、バリュー保持メディアを誘導中、金額決済が終了、金額決済が異常等の各状況に応じて発光部から発する光を点灯、点滅若しくは停止させることで保持者に視覚を通じて知らせることができる。
このように、発光部からの光を利用することで、バリュー保持メディアの誘導及びＩＣチップの読み取り及び書き込みの進行状況をバリュー保持メディアの保持者に知らせることができる。特に、光透過面を有しているので、従来のように、発光部を何箇所にも設ける必要がなく、読み取り面の裏面側に配された１個所から発光させるだけで、光透過面を介してバリュー保持メディアの外形に応じた形状で発光させることができる。従って、発光部を必要最小限の設置で構成でき、低コスト化を図ることができる。
【０００９】
また、本発明の非接触型端末装置は、上記本発明の非接触型端末装置において、前記光透過面が、前記アンテナ部の周囲を囲むスリット状に形成されていることを特徴とするものである。
【００１０】
この発明に係る非接触型端末装置においては、光透過面がアンテナ部の周囲を囲むスリット状に形成されているので、バリュー保持メディアをかざす際に、該バリュー保持メディアをアンテナ部に確実に対向配置させることができ、両者間の通信性をより向上させることができる。また、光透過面がスリット状であるので、バリュー保持メディアの外形を明確に視認することができ、より誘導性に優れている。
【００１１】
また、本発明の非接触型端末装置は、上記本発明の非接触型端末装置において、前記アンテナ部の周囲を囲むように配されて、前記発光部から発せられた前記光を前記光透過面に案内する非金属性の光案内部材を備えていることを特徴とするものである。
【００１２】
この発明に係る非接触型端末装置においては、光案内部材が、発光部から発せられた光を光透過面に案内するので、光を効率良く集光することができ、発光部の光量を極力抑えることができる。従って、さらなる低コスト化を図ることができる。また、光案内部材は、非金属性であるのでアンテナ部の通信性に影響を与えることはない。
【００１３】
また、本発明の非接触型端末装置は、上記本発明の非接触型端末装置において、前記光案内部材は、前記読み取り面の裏面に開口が当接するよう配されて前記光を内周面で反射させる中空体状の光反射板であり、前記アンテナ部の裏面に設けられて前記光を反射する非金属性の反射面を有していることを特徴とするものである。
【００１４】
この発明に係る非接触型端末装置においては、発光部から発せられた光が、光反射板及び光反射面により反射を繰り返しながら効率良く集光されて光透過面に案内されるので、発光部の光量を極力抑えることができ、低コスト化を図ることができる。また、反射面は、非金属性であるので、アンテナ部の通信性に影響を与えることはない。
【００１５】
また、本発明の非接触型端末装置は、上記本発明の非接触型端末装置において、前記光案内部材は、前記光を内部で拡散させながら前記光透過面に案内する光拡散体であることを特徴とするものである。
【００１６】
この発明に係る非接触型端末装置においては、発光部から発せられた光が、光拡散体の内部で拡散されながら効率良く集光されて光透過面に案内されるので、発光部の光量を極力抑えることができ、低コスト化を図ることができる。
【００１７】
また、本発明の非接触型端末装置は、上記本発明のいずれかの非接触型端末装置において、前記発光部は、複数の異なる色を発するＬＥＤであり、前記制御部からの制御信号に応じて発光する色及び発光時間がそれぞれ異なるように制御されていることを特徴とするものである。
【００１８】
この発明に係る非接触型端末装置においては、発光部を、例えば、赤色、緑色及び青色の光を発するＬＥＤとした場合、データ処理蓄積部の作動状況に応じて発光する色及び発光時間をそれぞれ変えてバリュー保持メディアの保持者に明確に知らせることができる。例えば、バリュー保持メディアを誘導する場合には青色の光を点滅させ、金額決済が終了した場合には緑色の光を点灯させ、金額決済が異常の場合には赤色の光を点灯させることでより保持者にＩＣチップの読み取り書き取りの進行状況を視覚を通じて明確に知らせることができ、使い易さの向上化を図ることができる。
【００１９】
また、本発明に係る非接触型端末装置は、上記本発明のいずれかの非接触型端末装置において、前記読み取り面近傍から音声を出力するスピーカを有し、該スピーカは、前記制御部からの制御信号に応じて異なる音声を出力するように制御されることを特徴とするものである。
【００２０】
この発明に係る非接触型端末装置においては、データ処理蓄積部の作動状況に応じて、発光部から発せられた光に加えスピーカから異なる音声を出力することで、バリュー保持メディアの保持者にＩＣチップの読み取り書き取りの進行状況をより明確に知らせることができる。例えば、金額決済が正常に終了した場合には「正常決済音」を、金額決済が異常の場合には「異常決済音」を出力させる。例えば、正常決済音として「ピッ」という音、異常決済音は、警告音として「ピィピー」という音を使用する場合がある。更に、音声合成ＩＣや音声合成回路を用いることによって、より使用者に対してわかり易い音声を発する場合もある。例えば、正常決済音として「シャリーン」という音、異常決済音として「ピロロン」という音を警告音を出力させる場合もある。
このように、状況に応じてそれぞれ異なる音声を出力することで、保持者にＩＣチップの読み取り書き取りの進行状況を音声を利用して知らせることができ、更なる使い易さの向上化を図ることができる。
【００２１】
また、本発明に係る非接触型端末装置は、上記本発明のいずれかの非接触型端末装置において、前記読み取り部が、前記端末本体部と有線又は無線接続されて、端末本体部から離間可能であることを特徴とするものである。
【００２２】
この発明に係る非接触型端末装置においては、読み取り部を端末本体部から離間できるので、例えば、端末本体部をレジの内側に設置し、読み取り部をレジの外側に設置する等、それぞれを別個に設置することが可能である。従って、設置の自由度を向上することができる。
【発明の効果】
【００２３】
本発明に係る非接触型端末装置によれば、発光部からの光を利用することで、バリュー保持メディアの誘導及びＩＣチップの読み取り及び書き込みの進行状況をバリュー保持メディアの保持者に知らせることができる。特に、読み取り面の裏面側に配された１個所から発光させるだけで、光透過面を介してバリュー保持メディアの外形に応じた形状で発光させることができるので、発光部を必要最小限の設置で構成でき、低コスト化を図ることができる。
【発明を実施するための最良の形態】
【００２４】
以下、本発明に係る非接触型端末装置の一実施形態を、図１から図１９を参照して説明する。
本実施形態の非接触型端末装置１は、図１に示すように、読み書き可能なＩＣチップ２を有すると共に長方形状に形成されたＩＣカード（バリュー保持メディア）３に対して、非接触状態で少なくとも金額を含む情報をＩＣチップ２との間で通信可能なものである。
この非接触型端末装置１は、図１から図３に示すように、表面にＩＣカード３が接近される読み取り面５と、該読み取り面５の裏面側に配されて１個所から光を発光させるＬＥＤ（発光部）６と、読み取り面５とＬＥＤ６との間に配されてＩＣチップ２との間で上記情報を無線通信可能なアンテナ基板（アンテナ部）７を有する無線通信部８とを有するかざしユニット（読み取り部）１０と、無線通信部８の作動を制御すると共にアンテナ基板７を介してＩＣチップ２のデータ処理及び記録を行う決済モジュール（データ処理蓄積部）１１と、該決済モジュール１１の作動状況に応じてＬＥＤ６の作動を制御する制御部１２とを有する端末本体ユニット（端末本体部）１５とを備えている。
また、本実施形態の非接触型端末装置１は、かざしユニット１０と端末本体ユニット１５とがケーブル１６により有線接続され、かざしユニット１０が端末本体ユニット１５から離間可能とされている。
【００２５】
上記かざしユニット１０は、図３に示すように、プラスチック製のケース２０を有しており、該ケース２０は、床面に載置可能な下部ケース２１と床面に対して所定の傾斜角度（例えば、３０度の傾斜角度）をもって下部ケース２１の上側に嵌合する上部ケース２２とから構成されている。そして、図１及び図３に示すように、上部ケース２２の表面の一部が、上記読み取り面５とされている。
この読み取り面５には、ＬＥＤ６から発せられた光をＩＣカード３の外形に応じた形状、即ち、長方形状で読み取り面５の表面に発光させる光透過面２３が形成されている。また、この光透過面２３は、図４に示すように、アンテナ基板７の周囲を一周囲むようにスリット状に形成されている。なお、本実施形態においては、アンテナ基板７は上面視略長方形状に形成されているとして説明する。また、上部ケース２２は、光透過面２３以外の領域を光学的に遮光するように形成されている。
【００２６】
上記ケース２０内には、図３に示すように、ＬＥＤ６及びアンテナ基板７の周囲を囲むように配されてＬＥＤ６から発せられた光を光透過面２３に案内する非金属性のリフレクタ部（光案内部材、光反射板）２４が設けられている。このリフレクタ部２４は、非金属材料、例えば、プラスチック等により形成されて、読み取り面５の裏面に開口が当接するように配されており、ＬＥＤ６の光を内周面２４ａで反射しながら光透過面２３に案内するようになっている。また、アンテナ基板７の裏面全体には、光を反射する反射面２５が設けられておいる。なお、この反射面２５もリフレクタ部２４と同様に非金属材料、例えば、プラスチック等により形成されている。
【００２７】
また、上記リフレクタ部２４は、読み取り面５から離間するに伴って、開口の直径Ｌが漸次小さくなるよう（断面視略傘状）形成されており、最深部に上記ＬＥＤ６が配されている。なお、リフレクタ部２４は、上記形状に限らず、中空体状であれば構わない。例えば、円筒状でも構わないし、御椀状でも構わない。
また、本実施形態のＬＥＤ６は、図２に示すＩ／Ｏモジュール２６を介して図３に示す回路基板２７上に実装されると共に、青色、緑色及び赤色の３色（複数）の異なる色を発するＬＥＤ６である。なお、ＬＥＤ６は、上述したように単体のパッケージに３色が含まれている場合に限らず、各色のパッケージを近接して配した構成にしても構わない。また、ＬＥＤ６は、上記制御部１２からの制御信号に応じて発光する色及び発光時間がそれぞれ異なるように制御されるようになっている。これについては、後に詳細に説明する。また、リフレクタ部２４は、開口とアンテナ基板７との隙間が上記光透過面２３のスリット幅と略同一距離になるように開口の直径Ｌが設定されている。
【００２８】
上記アンテナ基板７は、図５に示すように、例えば、表面に送信用のコイルパターン７ａと、受信用のコイルパターン７ｂとが隣接するように形成されており、図示しない配線により図３に示すＲＦ基板２８に電気的に接続されている。このＲＦ基板２８には、送受信部２９が実装されており、該送受信部２９とアンテナ基板７とで上記無線通信部８を構成している。
【００２９】
更に、かざしユニット１０は、図１から図３に示すように、ＩＣチップ２の内容を表示する表示部３０及び読み取り面５近傍から音声を出力するスピーカ３１を備えている。上記表示部３０は、上部ケース２２の表面で光透過面２３に隣接するように設けられており、回路基板２７にＩ／Ｏモジュール２６を介して電気的に接続されている。上記スピーカ３１は、上部ケース２２の表面で表示部３０に隣接するように形成された音孔３２を介して音声を出力できるようになっており、表示部３０と同様にＩ／Ｏモジュール２６を介して回路基板２７に電気的に接続されている。また、スピーカ３１は、制御部１２からの制御信号に応じて異なる音声を出力するように制御されている。これについては、後に詳細に説明する。
【００３０】
端末本体ユニット１５は、図１及び図２に示すように、かざしユニット１０と同様に、床面に載置可能であると共に床面に対して所定の傾斜角度（例えば、３０度の傾斜角度）を有するプラスチック製のケース３５を有しており、該ケース３５内に上記決済モジュール１１及び制御部１２を備えている。
また、端末本体ユニット１５は、金額等の情報を入力可能な複数のボタンからなる操作キー３６、該操作キー３６により入力された情報やＩＣチップ２内のデータ等の各種情報を表示する表示部３７、該表示部３７により表示された情報を紙に印刷可能なプリンタ部３８、決済モジュール１１内に記録されている情報を、外部機関Ａと接続送信可能なモデム部３９を備えている。なお、モデム部３９は、直接外部機関Ａに設置された通信送受信用のモデムと接続通信して送信する以外に、第３者機関を経由してＩＰ網に接続し、インターネット等の通信手段を介して外部機関に送信しても構わない。なお、表示部３７、プリンタ部３８及びモデム部３９は、操作キー３６からの入力に応じて制御部１２で総合的に制御されるようになっている。これについては、後に詳細に説明する。また、決済モジュール１１は、ケーブル１６を介してＲＦ基板２８と電気的に接続されており、制御部１２は、ケーブル１６を介して回路基板２７と電気的に接続されている。なお、制御部１２は、スピーカ３１に音声を出力する機能を有している。
【００３１】
このように構成された非接触型端末装置１を利用して、ＩＣカード３により電子決済を行う場合について、図６及び図７のフローチャートを参照して以下に説明する。
まず、操作キー３６より電源ボタンをＯＮする（Ｓ１）。電源が投入（ＯＮ）されると、各機能がそれぞれ正常であるか否かの自己診断（セルフテスト）を行う（Ｓ２）。例えば、かざしユニット１０と端末本体ユニット１５との接続状態が正常であるか確認したり、決済モジュール１１自身が自己の機能が正常であるか診断を行う。なお、このセルフテストは、上述した診断内容だけに限らず任意に設定することが可能である。また、セルフテストを行なっている間は、端末本体ユニット１５の表示部３７にその旨、例えば「自己診断中」の表示がされるようになっている。  
セルフテストの結果、異常又は故障と判断した場合には、端末本体ユニット１５の表示部３７に「エラー」の表示がされる（Ｓ３）。これを受けて非接触型端末装置１の操作者は、ケーブル１等の電気的な接続状態を確認したり、故障個所の探求等の所定処置を施す。一方、正常と判断した場合には、メイン処理ルーチン（Ｓ４）に移行する。即ち、図７に示すように、操作キー３６からの入力待ち状態となる（Ｓ５）。なお、この時点で操作キー３６の電源ボタンをＯＦＦすることで、電源を遮断することができる。
【００３２】
ここで、ＩＣカード３の保持者が、例えば、１０００円の値段の品物を購入する場合、操作キー３６の操作者は、図８に示すように、１０００円の金額情報を操作キー３６で入力する。制御部１２は、操作者からの指示がどういう指示、即ち、操作キー３６からの入力信号がどういう信号であるのか処理判断（Ｓ６）を行うと共にその判断に応じた制御を行う。例えば、上述した場合には、操作キー３６からの入力信号に対応して１０００円の決済処理を行うよう決済モジュール１１に信号を送る。また、操作キー３６からの入力信号が、上述したように電源ＯＦＦの信号であるならば終了ルーチンに移行するよう制御を行い（Ｓ７）、操作キー３６からの入力信号が端末本体ユニット１５の各種設定や管理を行う旨の信号であるならば設定／管理ルーチンに移行するよう制御を行う（Ｓ８）。
【００３３】
上述したように、制御部１２が決済処理を行うと判断した場合、該制御部１２は入力された金額を端末本体ユニット１５の表示部３７に表示させる（Ｓ９）。操作者は、表示部３７に表示された金額により正確な入力が行なわれたことを確認後、操作キー３６により確認ボタンを押下する。これを受けて制御部１２は、決済モジュール１１に金額情報を送信する（Ｓ１０）と共に、ＬＥＤ６に青色の光を点滅させるようケーブル１６及び回路基板２７を介して制御信号を送る。これにより、ＬＥＤ６は、瞬間的な発光を繰り返して青色の光を点滅させる（Ｓ１１）。また、ＬＥＤ６から発せられた光は、リフレクタ部２４の内周面２４ａ及び反射面２５により反射を繰り返しながら開口に案内され、光透過面２３より読み取り面５の表面に発光する。これにより、図１に示すように、ＩＣカード３の外形形状に沿った長方形状のスリット幅で発光する。つまり、この青色の点滅は、図９に示すように、保持者に対してＩＣカード３をかざす誘引を行うものである。この際、リフレクタ部２４及び反射面２５により、ＬＥＤ６からの光を光透過面２３に案内することができると共に、効率良く集光させることができるので、ＬＥＤ６の発光量を極力抑えることができる。
一方、決済モジュール１１は、図７に示すように、金額情報が入力されると送受信部２９を待機状態にさせ、アンテナ基板７からの入力待ち状態となる（Ｓ１２）。
【００３４】
ＩＣカード３の保持者は、図１０に示すように、光透過面２３を介して、青色に点滅する光の誘導により、ＩＣカード３を読み取り面５に容易にかざすことができる。この際、光透過面２３は、アンテナ基板７を囲むと共にＩＣカード３の外形形状に応じた、即ち、長方形状のスリットであるので、保持者は、ＩＣカード３を所定の向きで所定位置にかざすことができる。これにより、ＩＣカード３とアンテナ基板７とが確実に対向配置された状態となり、良好な通信状態を維持することができる。特に、光透過面２３がスリット状であるので、ＩＣカード３の外形の輪郭をより明確に視認でき、該ＩＣカード３を誘導し易い。
ＩＣカード３が読み取り面５にかざされると、送受信部２９は、アンテナ基板７を介してＩＣカード３のＩＣチップ２に記録されている情報を無線通信して読み取ると共に決済モジュール１１に送信する。決済モジュール１１は、送られてきたＩＣチップ２のデータ処理を行う、即ち、ＩＣチップ２に記録されている貯蓄金額から操作キー３６で入力した１０００円分の金額を引き、新たな貯蓄金額（残高）を計算して決済処理を行う。決済処理終了後、送受信部２９及びアンテナ基板７を介して新たな貯蓄金額をＩＣチップ２に書き込む（上書きする）。また、同時に決済モジュール１１は、決済が正常に終了したことを制御部１２に知らせる。
上述した無線通信の際、アンテナ基板７を囲むリフレクタ部２４及び、アンテナ基板７の裏面の反射面２５は、共に非金属材料であるので、通信性に影響を与えることはない。
【００３５】
制御部１２は、これを受けて発光する色及び発光時間を変えるようＬＥＤ６の制御を行う。即ち、緑色の光を点灯するようにＬＥＤ６に制御信号を送る（Ｓ１３）。また、制御部１２は、図１１に示すように、スピーカ３１から決済が正常に終了したことを知らせる音、例えば、「シャリン」という決済正常音を出力させる（Ｓ１４）。また、同時に制御部１２は、購入金額、即ち、操作キー３６で入力した金額及び新たな貯蓄金額を決済結果としてかざしユニット１０の表示部３０に表示させる（Ｓ１５）。
ＩＣカード３の保持者は、光透過面２３の緑色の発光及び表示部３０に表示された決済結果を視認すると共に「シャリン」という決済正常音を聞くことで、決済が正常に終了したことを確実且つ容易に認識することができる。これにより、保持者は、ＩＣチップ２への読み取り及び書き込み作業が正常に終了したと判断して、ＩＣカード３を読み取り面５から離間させることが可能である。
【００３６】
一方、制御部１２は、かざしユニット１０の表示部３０と同様に、決済した購入金額、即ち、操作キー３６で入力した金額及び新たな貯蓄金額を決済結果として、端末本体ユニット１５の表示部３７に表示させる。操作者は、この表示部３７の表示を再度確認した後、図１１に示すように、決済結果をプリンタ部３８によりプリントアウトする（Ｓ１６）。
なお、この決済結果のプリントは、操作者の控えとされると共に保持者への領収書等として利用される。また、表示部３７に決済結果を表示させると同時に、該決済結果をプリンタ部３８により自動的にプリントアウトさせるように、制御部１２を設定しても構わない。
次に決済結果のプリントアウトを行うと、制御部１２は、再度ＬＥＤ６に制御信号を送り、緑色の発光を消灯させる（Ｓ１７）と共に、決済モジュール１１を操作キー３６からの入力待ち状態に再度設定する。なお、Ｓ１６において、緑色の発光を消灯させるように設定したが、これに限らず、自由に設定して構わない。例えば、青色の光を点灯させても構わない。
【００３７】
また、決済が正常に終了せずに、例えば、何らかの理由、例えば、通信不良等により決済異常が生じた場合には、制御部１２は、正常時とは異なる色の光を発光するようＬＥＤ６の制御を行う。例えば、赤色の光を点灯するように制御を行う（Ｓ１８）。また、同時に制御部１２は、正常時とは異なる音声を出力するようにスピーカ３１を制御する。即ち、決済が異常であることを知らせる警告音（ＮＧ音）、例えば「ピロロン」という決済異常音を出力させる（Ｓ１９）。更に制御部１２は、その旨を端末本体ユニット１５の表示部３７及びかざしユニット１０の表示部３０に表示して、再度ＩＣカード３を読み取り面５にかざすよう保持者に指示を与える。
ＩＣカード３の保持者は、光透過面２３の赤色の発光及びかざしユニット１０の表示部３０に表示された決済異常の結果を視認すると共に「ピロロン」という警告音を聞くことで、決済が異常であることを確実且つ容易に認識することができる。これにより、保持者は、ＩＣカード３を再度読み取り面５にかざす等の所定の処理を行うことができる（Ｓ２０）。また、決済モジュール１１に記録されたＩＣチップ２のデータは、操作者によって定期的、例えば、毎日夕方に一回外部機関Ａにデータ送信を行うことができる。即ち、図１２に示すように、モデム部３９により、外部機関Ａに設置された図示しない通信受信用のモデムと通信接続してデータ送信することが可能である。なお、上述したように、モデム部３９から第３者機関を経由してＩＰ網に接続し、インターネット等の通信手段を介して送信しても構わない。
【００３８】
上述したように、本実施形態の非接触型端末装置１によれば、ＬＥＤ６からの光を利用することで、ＩＣカード３の誘導を行えると共に、ＩＣチップ２の読み取り及び書き込みの進行状況をＩＣカード３の保持者に知らせることができる。特に、光透過面２３を有しているので、従来のように、ＬＥＤ６を何箇所にも設ける必要がなく、読み取り面５に対向配置された１個所から発光させるだけで、光透過面２３を介してＩＣカード３の外形に応じた形状で発光させることができる。従って、ＬＥＤ６を必要最小限の設置で構成でき、低コスト化を図ることができる。
また、光透過面２３は、アンテナ基板７の周囲を囲むスリット状に形成されているので、ＩＣカード３をかざす際に、該ＩＣカード３を所定の向き及び位置でアンテナ基板７に確実に対向配置させることができ、両者間の通信性を向上させることができる。また、ＩＣカード３の外形の輪郭を明確に視認することができるので、誘導性に優れている。
更に、ＬＥＤ６から発せられた光をリフレクタ部２４及び光反射面２５により効率良く集光しながら透過面２３に案内して発光させることができるので、ＬＥＤ６の光量を極力抑えることができ、さらなる低コスト化を図ることができる。
【００３９】
また、ＬＥＤ６から発する色及びスピーカ３１から出力する音声を、ＩＣチップ２の読み取り及び書き込みの状況に応じてそれぞれ異なるよう制御しているので、視覚及び聴覚を通じてＩＣカード３の保持者にＩＣカード３の誘導を行なわせたり、金額決済の状況等を明確且つ容易に知らせることができ、保持者の使い易さが向上する。  
更に、かざしユニット１０を端末本体ユニット１５から離間できるので、例えば、端末本体ユニット１５をレジの内側に設置し、かざしユニット１０をレジの外側に設置することができる。このように、設置場所に応じてそれぞれを別個に設置することが可能であるので、設置の自由度を向上することができる。
【００４０】
なお、本発明の技術範囲は上記実施の形態に限定されるものではなく、本発明の趣旨を逸脱しない範囲において種々の変更を加えることが可能である。
例えば、バリュー保持メディアをＩＣカードとしたが、ＩＣカードに限られるものではなく、少なくとも金額を含む情報を有して読み書き可能なＩＣチップを有していれば構わない。例えば、このようなＩＣチップを有する携帯電話機をバリュー保持メディアとしても構わない。
また、光透過面をアンテナ基板の周囲を囲むと共にＩＣカードの外形形状に応じた長方形状のスリットとして説明したが、アンテナ基板の周囲を全て囲む必要はない。例えば、図１３に示すように、アンテナ基板の各辺に沿った直線状の４つのスリットでも構わないし、図１４に示すように、アンテナ基板の各４隅に配されたＬ字状の４つのスリットでも構わないし、図１５に示すように、アンテナ基板の各４隅に配された三日月状の４つのスリットでも構わない。
更に、アンテナ基板を長方形状としたが、これに限らず、図１６に示すように、楕円形状でも構わないし、図１７に示すように、直線と円弧を組み合わせた形状でも構わない。これらの形状を採用する場合には、それぞれのアンテナ基板の周囲を囲むようにスリットを形成すれば構わない。
更に、光透過面は、アンテナ基板の周囲を囲むスリット状でなくとも良く、例えば、ＩＣカードの外形形状に応じた形状であれば構わない。
【００４１】
また、ＬＥＤは、青色、緑色及び赤色の３色の光を発するＬＥＤとしたが、これらの色に限られるものではない。また、それぞれ色のみを発する複数のＬＥＤを、１箇所から光を発するように同一場所に配しても構わない。この場合も、従来のようにＬＥＤを複数箇所に配置する場合とは異なり、各色のＬＥＤを１つ、即ち、必要最少限の設置で済み、ＩＣカードの誘導を確実に行うことができる。
【００４２】
また、上記実施形態ではＩＣカードの誘導を行う場合には青色の光の点滅、決済が正常に終了した場合には緑色の光を点灯させると共に「シャリン」という音声出力、決済が異常の場合には赤色の光を点灯させると共に「ピロロン」という警告音を出力するよう設定したが、これに限られるものではなく、光の色及び音声を状況に応じて自由に組み合わせて設定して構わない。例えば、決済正常音として「ピッ」という音、決済異常音として「ピィピー」という音を音声出力するようにしても構わない。
【００４３】
更に、各種の機能を付加しても構わない。例えば、残高照会を行わせる機能を付加しても構わない。即ち、図１８に示すようにＳ５での操作キー２６からの入力待ち状態の時に、並行して残高照会を行える常時ポーリングモードが行えるように設定しても良い。この場合には、入力待ち状態の時（Ｓ５）に、ＩＣカード３の検知があるか否かの検知を行なっている（Ｓ２５）。ここで、読み取り面５にＩＣカード３をかざすことにより、決済モジュール１１が無線通信部８を介してＩＣカード３の検知を行うと共に、ＩＣチップ２から残高（貯蓄金額）の読み取りを行う（Ｓ２６）。これを受けて制御部１２は、決済モジュール１１で読み取った残高を、端末本体ユニット１５の表示部３７及びかざしユニット１０の表示部３０に表示させる（Ｓ２７）。これにより、ＩＣカード３の保持者は、ＩＣカード３の残高を確認することができる。
【００４４】
また、常時ポーリングモードではなく、手動ポーリングモードにしても構わない。即ち、図１９に示すように、入力待ち状態の時（Ｓ５）に、操作キー３６で残高ボタンを押下（Ｓ３０）することでＩＣカード３の検知があるか否かの判断モードに移行する（Ｓ３１）。この判断モードに移行すると、一定時間の間ＩＣカード３の検知があるか否かを判断（Ｓ３２）し、一定時間内に検知しない場合には上記入力待ちの状態に再度移行する。
一方、判断モードの間にＩＣカード３の検知を行うと、決済モジュール１１はＩＣチップ２から残高（貯蓄金額）を読み取る（Ｓ３３）。これを受けて制御部１２は、決済モジュール１１で読み取った残高を、端末本体ユニット１５の表示部３７及びかざしユニット１０の表示部３０に表示させる（Ｓ３４）。これにより、ＩＣカード３の保持者は、ＩＣカード３の残高を確認することができる。
【００４５】
また、上記実施形態では、かざしユニットと端末本体ユニットとを離間可能に構成したが、一体構成にしても構わない。また、離間可能に構成する場合には、ケーブルによる有線接続に限られるものではなく、赤外線通信、無線ＬＡＮ或いはＢｌｕｅｔｏｏｔｈ等を利用した無線接続でも構わない。また、端末本体ユニット１台に、かざしユニットを複数台接続しても構わない。
更に、上記実施形態では、プリンタ部を備えた構成としたが、プリンタ部をなくした構成でも構わない。この場合には、決済結果をプリントアウトする時間を省略できるので、決済処理にかける時間の短縮を図ることができる。また、端末本体部をさらに容易な構成にすることができると共に小型化を図ることできる。
【００４６】
また、上記実施形態では、光案内部材としてリフレクタ部を採用し、ＬＥＤから発せられた光を内周面で反射させながら光透過面に案内したが、リフレクタ部に限られず、光を光透過面に案内できる光案内部材であれば構わない。
例えば、乳白色のアクリル等で形成し、光をアクリル内部で拡散させながら案内する光拡散体でも良い。この光拡散体を採用する場合には、中空体状でなくても良く、例えば、ブロック状等でも良く、形状に限定されるものではない。
【図面の簡単な説明】
【００４７】
【図１】本発明に係る非接触型端末装置の一実施形態を示す外観図である。
【図２】図１に示す非接触型端末装置の主要ブロック図である。
【図３】図１に示す非接触型端末装置のかざしユニットの断面矢視Ｂ−Ｂ図である。
【図４】アンテナ基板と光透過面との関係を示す上面図である。
【図５】アンテナ基板の形状及びアンテナパターンの一例を示した上面図である。
【図６】ＩＣカードにより電子決済を行う場合の手順を示すフローチャートであって、非接触型端末装置の起動からメイン処理ルーチンまでを示す図である。
【図７】ＩＣカードにより電子決済を行う場合の手順を示すフローチャートであって、メイン処理ルーチンから電子決済を行うまでの図である。
【図８】非接触型端末装置の主要ブロック図であって、操作者が操作キーから電子決済を行う金額情報を入力した状態を示す図である。
【図９】非接触型端末装置の主要ブロック図であって、かざしユニットのＬＥＤを発光させて、ＩＣカードの誘引を行っている状態を示す図である。
【図１０】非接触型端末装置の主要ブロック図であって、ＩＣカードを読み取り面にかざした状態を示す図である。
【図１１】非接触型端末装置の主要ブロック図であって、電子決済が正常に行われて決済結果をプリントアウトした状態を示す図である。
【図１２】非接触型端末装置の主要ブロック図であって、決済モジュール内に記録されている情報をモデム部を介して外部機関に送信している状態を示す図である。
【図１３】光透過面の他の一例を示す図であって、アンテナ基板の各辺に沿う直線状に４つスリットを形成した図である。
【図１４】光透過面の他の一例を示す図であって、アンテナ基板の４隅にＬ字状のスリットを形成した図である。
【図１５】光透過面の他の一例を示す図であって、アンテナ基板の４隅に三日月状のスリットを形成した図である。
【図１６】アンテナ基板の他の形状の一例及び該アンテナ基板に対応した光透過面の一例を示す図であって、アンテナ基板を楕円状に形成した図である。
【図１７】アンテナ基板の他の形状の一例及び該アンテナ基板に対応した光透過面の一例を示す図であって、アンテナ基板を直線と円弧を組み合わせて形成した図である。
【図１８】常時ポーリングにより、ＩＣカードの残高照会を行う場合のフローチャートの一例である。
【図１９】手動ポーリングにより、ＩＣカードの残高照会を行う場合のフローチャートの一例である。
【図２０】従来の非接触型端末装置の読み取り面及びＬＥＤの位置関係の一例を示す図である。
【符号の説明】
【００４８】
１    非接触型端末装置
２    ＩＣチップ
３    ＩＣカード（バリュー保持メディア）
５    読み取り面
６    ＬＥＤ（発光部）
７    アンテナ基板（アンテナ部）
８    無線通信部
１０    かざしユニット（読み取り部）
１１    決済モジュール（データ処理蓄積部）
１２    制御部
１５    端末本体ユニット（端末本体部）
２３    光透過面
２４ａ    内周面
２４    リフレクタ部（光案内部材、光反射板）
２５    反射面
３１    スピーカ
【図１】
2005202856.tif 000003
【図２】
2005202856.tif 000004
【図３】
2005202856.tif 000005
【図４】
2005202856.tif 000006
【図５】
2005202856.tif 000007
【図６】
2005202856.tif 000008
【図７】
2005202856.tif 000009
【図８】
2005202856.tif 000010
【図９】
2005202856.tif 000011
【図１０】
2005202856.tif 000012
【図１１】
2005202856.tif 000013
【図１２】
2005202856.tif 000014
【図１３】
2005202856.tif 000015
【図１４】
2005202856.tif 000016
【図１５】
2005202856.tif 000017
【図１６】
2005202856.tif 000018
【図１７】
2005202856.tif 000019
【図１８】
2005202856.tif 000020
【図１９】
2005202856.tif 000021
【図２０】
2005202856.tif 000022